(57)【特許請求の範囲】
【請求項１】
重ね合わされた一対の合成樹脂シートが融着されて形成された周縁融着部で囲まれ密閉された液体収容室を１つ以上有し、前記液体収容室は、その周縁融着部内の領域に前記合成樹脂シートの融着で形成された複数の融着堰部と液体流路が狭くなっている多数のオリフィス部とにより形成された液体収容小部屋を複数有し、傾斜面又は垂直面に配設されて用いられるものとされ、液体収容室内の各液体収容小部屋は、液体がそれぞれ充満していて連通しており、液体が液体収容室の液体収容小部屋の各オリフィス部を経由して流出又は流入する際に、液体の流入又は流出が制御されると共に、前記の液体収容室内の液体が主として水平方向に容易に流動し、液体が上下方向に配置された各液体収容小部屋の間で制御されて流動し移動できるよう構成され、且つ、液体収容室を形成している周縁融着部の領域内には下部の第１融着堰部、中央部の第２融着堰部、上部左右に対で形成されている上部の第３融着堰部及び上部の第４融着堰部からなる融着堰部が多数設けられていて、オリフィス部を４〜２０箇所に有していると共に、液体が充満している液体収容小部屋が４〜１０箇所形成されていて、液体収容室内の液体が主として水平方向に容易に流動しうると共に、上下に配置された液体収容小部屋間でも液体が流動し移動しうる、ことを特徴とする背もたれ用等の液体内蔵型クッション。
【請求項２】
前記の液体収容室を有する液体内蔵型クッションは、水平面に対して角度３０〜９０°で立上っている椅子の背もたれ等の傾斜面又は垂直面に配設されて用いられるものである、請求項１に記載の背もたれ用等の液体内蔵型クッション。
【請求項３】
前記の液体収容室において、周縁融着部が上部周縁融着部と、左右先端の突出弧状周縁融着部、下部周縁融着部とからなっており、その上部周縁融着部と下部周縁融着部との上下間隔は５〜２５ｃｍの範囲内であり、また、左右端部への突出弧状周縁融着部の左右間隔は、前記の上下間隔の２〜６倍の範囲内である請求項１に記載の背もたれ用等の液体内蔵型クッション。
【請求項４】
液体収容室の周縁融着部の領域内における下部の第１融着堰部は、下方に向かって突出する左右一対の弧状堰部として融着・形成されているものであり、前記の下部周縁融着部と第１融着堰部との間の最も狭い部分が液体収容室の上下方向の幅の１／１０〜１／４の範囲内であって、第１融着堰部における左右の先端部が液体収容室の上下方向の幅の中央部付近にまで到達している、請求項３に記載の背もたれ用等の液体内蔵型クッション。
【請求項５】
液体収容室の周縁融着部の領域内における中央部の第２融着堰部は、下部の第１融着堰部の中央部から上方に向かって液体収容室の上部周縁融着部に付近まで融着・形成されており、その第２融着堰部の上部先端と上部周縁融着部との間隔が、液体収容室の上下方向の幅の１／１０〜１／４の範囲内である、請求項３及び４に記載の背もたれ用等の液体内蔵型クッション。
【請求項６】
液体収容室の周縁融着部の領域内における上部左右の第３融着堰部及び第４融着堰部は、該液体収容室における第１融着堰部の先端部と上部周縁融着部との間の中央部付近から該液体収容室の左右先端の突出弧状周縁融着部に沿って弧状堰部として溶融・形成されているものである請求項４及び５に記載の背もたれ用等の液体内蔵型クッション。
【請求項７】
前記の液体内蔵型クッションは、液体が充填されている液体収容室が長手方向に平行に上下に複数配置されているものであるか、又は、液体が充填されている液体収容室を有するクッション部材が長手方向に平行に上下に並べられて複数連結されているものである請求項１に記載の背もたれ用等の液体内蔵型クッション。
【発明の詳細な説明】
【技術分野】
【０００１】
本発明は、人が着座可能である椅子の背もたれ部などの傾斜面、垂直面に配設されうる背もたれ用等のクッション、特に、柔軟な合成樹脂シート製の液体内蔵型クッションに係わるものである。
【背景技術】
【０００２】
従来、合成樹脂シート製の水性液体収容バックとして、振動が伝播せず、身体に柔らかくフィットし、頭の座りのよい、水枕、ウォータベッド等として使用されるものが知られている。【０００３】
例えば、特許文献１で示されているように、重ね合わせた軟質のプラスチックシートを周縁に沿って融着させることによって構成された、水性液体を収容して密封された袋であって、内部が、向い合う該シート同志を接触面で融着させてなる網目状に配列された融着帯により複数の室に区分されており、該複数の室の各々が隣接の室と液体流路を介して連通しており、該液体流路が、限定された間隙を生ずるように不連続部を該融着帯に設けるように形成されており、室に対し外部から加圧したとき該室から該液体の流出が該液体流路の抵抗で遅延されるよう構成されている、水性液体収容バックが提案されている。
【特許文献１】特開２０００−２１７６８５号公報
【発明の開示】
【発明が解決しようとする課題】
【０００４】
しかし、特開２０００−２１７６８５号公報には、上記の水性液体収容バックは、網目状に配列された融着帯により複数の室に区分されており、該複数の室の各々が隣接の室と液体流路を介して連通している、水性液体を収容して密封された軟質のプラスチックシート製の袋として開示されており、水枕、ウォータベッド等として使用されることが開示されているけれども、人が着座可能な椅子の背もたれ部などに配設して利用してすることについて開示されていない。網目状に配列された融着帯により区分され連通している複数の室を有するプラスチックシート製の袋では、人の体型に対応しておらず、しかも、人の姿勢変化に追従して、当該人の背圧などに対応した体圧分散を効果的に行わせることが実質的にできなかったのである。【０００５】
従来公知の網目状の隣接する室を有する水性液体収容バックは、椅子に着座してその背もたれ部に寄りかかる人の上半身の背中などの体型に対応し、しかも、当該人の姿勢変化に基づく背圧の変化に容易に追従して体圧分散させることが実質的にできないという問題があり、そのような場合に体圧分散機能を効果的に奏することができる背もたれ用のクッションが期待されていた。【０００６】
本発明は、このような事情に鑑みてなされたもので、寄りかかる人の姿勢変化に滑らかに追従して、人の上半身の体型に対応している、隣接する領域間（液体充填小部屋間）で液体を流入又は流出させうると共に、その液体の流入又は流出により当該人の背圧の変化に従って良好に体圧分散させることができる背もたれ用等のクッションであって、しかも、椅子の背もたれ部などの傾斜面又は垂直面に配設しても充填されている液体が下方に過剰に移動して膨らんでしまうことがない、背もたれ用等の液体内蔵型クッションを提供することを目的とするものである。
【課題を解決するための手段】
【０００７】
請求項１記載の発明は、重ね合わされた一対の合成樹脂シートが融着されて形成された周縁融着部で囲まれ密閉された液体収容室（以下、『長尺セル』ともいう。）を１つ以上有し、前記の長尺セルは、その周縁融着部内の領域に前記合成樹脂シートの融着で形成された複数の融着堰部と液体流路が狭くなっている多数のオリフィス部とにより形成された液体収容小部屋を複数有し、傾斜面又は垂直面に配設されて用いられるものとされ、長尺セル内の各液体収容小部屋は、液体がそれぞれ充満していて連通しており、液体が長尺セルの液体収容小部屋の各オリフィス部を経由して流出又は流入する際に、液体の流入又は流出が制御されると共に、前記の長尺セル内の液体が主として水平方向（長手方向）に容易に流動し、液体が上下方向に配置された各液体収容小部屋の間で制御されて流動し移動できるよう構成され、且つ、液体収容室を形成している周縁融着部の領域内には下部の第１融着堰部、中央部の第２融着堰部、上部左右に対で形成されている上部の第３融着堰部及び上部の第４融着堰部からなる融着堰部が多数設けられていて、オリフィス部を４〜２０箇所に有していると共に、液体が充満している液体収容小部屋が４〜１０箇所形成されていて、液体収容室内の液体が主として水平方向に容易に流動しうると共に、上下に配置された液体収容小部屋間でも液体が流動し移動しうる、ことを特徴とする。前記のオリフィス部の間隔が、０．５〜５ｃｍ（特に好ましくは１〜３ｃｍ）であることが、人の体位の変化に追従するように、液体が流出又は流入するために、好ましい。
【０００８】
請求項２記載の発明は、前記の長尺セルを有する液体内蔵型クッションは、水平面に対して角度３０〜９０°（好ましくは４０〜９０°）で立上っている椅子の背もたれ等の傾斜面又は垂直面に配設されて用いられるものである、請求項１に記載の背もたれ用等の液体内蔵型クッション。【０００９】
請求項３記載の発明は、前記の長尺セルにおいて、周縁融着部が上部周縁融着部と、左右先端の突出弧状周縁融着部、下部周縁融着部とからなっており、その上部周縁融着部と下部周縁融着部との上下間隔は５〜２５ｃｍ（好ましくは５〜１５ｃｍ）の範囲内であり、また、左右端部への突出弧状周縁融着部の左右間隔は、前記の上下間隔の２〜６倍（好ましくは２．５〜５倍）の範囲内である請求項１に記載の背もたれ用等の液体内蔵型クッション。【００１１】
請求項４記載の発明は、長尺セルの周縁融着部の領域内における下部の第１融着堰部は、下方に向かって突出する左右一対の弧状堰部として融着・形成されているものであり、前記の下部周縁融着部と第１融着堰部との間の最も狭い部分が長尺セルの上下方向の幅の１／１０〜１／４の範囲内であって、第１融着堰部（一対の弧状堰部）における左右の先端部が長尺セルの上下方向の幅の中央部付近にまで到達している、請求項３に記載の背もたれ用等の液体内蔵型クッション。
【００１２】
請求項５記載の発明は、長尺セルの周縁融着部の領域内における中央部の第２融着堰部は、下部の第１融着堰部の中央部から上方に向かって長尺セルの上部周縁融着部に付近まで融着・形成されており、その第２融着堰部の上部先端と上部周縁融着部との間隔が、長尺セルの上下方向の幅の１／１０〜１／４の範囲内である、請求項３及び４に記載の背もたれ用等の液体内蔵型クッション。
【００１３】
請求項６記載の発明は、長尺セルの周縁融着部の領域内における上部左右の第３融着堰部及び第４融着堰部は、該長尺セルにおける第１融着堰部（１対の弧状堰部）の先端部と上部周縁融着部との間の中央部付近から該長尺セルの左右先端の突出弧状周縁融着部に沿って弧状堰部として溶融・形成されているものである請求項４及び５に記載の背もたれ用等の液体内蔵型クッション。
【００１４】
請求項７記載の発明は、前記の液体内蔵型クッションは、液体が充填されている長尺セルが長手方向に平行に上下に複数配置されているものであるか、又は、液体が充填されている長尺セルを有するクッション部材が長手方向に平行に上下に並べられて複数連結されているものである請求項１に記載の背もたれ用等の液体内蔵型クッション。
【００１７】
前記の第１の発明（請求項１〜７）に記載の背もたれ用等の液体内蔵型クッションであれば、液体が前記の長尺セルの下方に重力で過剰に集まって膨らんでしまうことを防止することができ、前述の椅子の背もたれ等の傾斜面に設置して好適に使用でき、体圧分散効果を効果的に奏することができる。
【００１８】
第１の発明では、請求項３に示されているように、前記の長尺セルにおいて、周縁融着部が上部周縁融着部と、左右先端の突出弧状周縁融着部、下部周縁融着部とからなっており、その上部周縁融着部と下部周縁融着部との上下間隔は１０〜２５ｃｍ（好ましくは１０〜２０ｃｍ）の範囲内であり、また、左右端部への突出弧状周縁融着部の左右間隔は、前記の上下間隔の１．５〜３．５倍（好ましくは２．０〜３．０倍）の範囲内である、前記の請求項１に記載の背もたれ用等の液体内蔵型クッションであれば、長尺セル内の液体が主として水平方向へ好適に流動させうるので、人の姿勢変化に追従する体圧分散効果をかなり好適に奏することができる。前記の長尺セルにおいては、長尺方向（水平方向）の左右間隔が、２０〜８０ｃｍ（特に２５〜６０ｃｍ程度）であることが最適である。【００２０】
本発明において、液体内蔵型クッションは、主として、椅子の背もたれ部（傾斜面又は垂直面）に配設して用いるものである。尚、本発明においては、椅子の背もたれ部とは、人が椅子に着座して寄りかかった場合に、人の肩部（肩甲骨付近）から腰部（仙骨付近）が接する部分の一部又は全体を言う。従って、本発明における液体内蔵型クッションでは、椅子の背もたれ部の全体に用いることができるだけではなく、肩あて用、腰当て用でも使用することができ、その場合には、該液体内蔵型クッションは、長尺セルを１〜２個有しているものであればよい。【００２１】
又、本発明における液体内蔵型クッションは、上半身を起き上げるための「ギャッヂアップの機能」（背上げ機能）を有する電動式ギャッチベットなどにおいて、その電動ベッドの背上げられた部分（傾斜面を形成する部分）であって人の肩部から腰部までの背中部分が一部又は全部接する箇所に配設けて使用することもできる。本発明の液体内蔵型クッションは、前述のように、人が長時間寄り掛かっているような種々の福祉機器の傾斜面又は垂直面に配設けることができる。
【発明の効果】
【００２２】
本願の第１の発明の液体内蔵型クッションは、椅子などの背もたれ部などの傾斜面又は垂直面に配設した場合にも、水平方向に伸びている長尺の液体収容室（長尺セル）を少なくとも１つ有するように形成されているので、充満されている液体が重力によって長尺セルの下部に著しく集まって効果的な体圧分散を困難にすることがなく、更に、例えば、人が椅子に着座して背もたれ部に寄りかかる場合に、その人の姿勢変化に滑らかに追従して、各長尺セルの液体が主として水平方向へそれぞれ流動すると共に、各長尺セルの内部領域に存在する上下に隣接する液体収容小部屋間でオリフィス部を介して液体を流入又は流出させて液体を上下にも流動させうるので、その液体の液体収容小部屋間での流入又は流出により当該人の姿勢変化による背圧の変化に追従して、良好に体圧分散させることができるという効果を奏する。
【発明を実施するための最良の形態】
【００２４】
以下、本発明の実施形態について図面を参照しながら具体的に説明する。
本発明における実施形態に係る背もたれ用等の液体内蔵型クッション３は、図１に示すように、例えば、人が着座可能な椅子１の背もたれ部１ａ（好ましくは３０〜９０°、特に好ましくは４０〜９０°）の傾斜面又は垂直面に、適当な下部弾性材料を介して配設されるものであり、例えば、当該背もたれ部１ａの傾斜部上に設けられた下部弾性材料（成形ウレタンなど）２の上に、柔軟な合成樹脂シートから成形された液体内蔵型クッション３が配設され、その上には上部弾性材料（成形ウレタンなど）４と被覆材料（織布、不織布、綿布内蔵袋体など）５で被覆されて、使用されうるものである。【００２５】
この液体内蔵型クッション３は、図２に示されているように、例えば、背もたれ部１ａの水平方向（図２中の左右方向）に延設され、且つ、長尺セルの下部に第１融着堰部７ｃ、長尺セルの略中央部の上下方向に第２融着堰部７ａ、長尺セルの上部に一対の第３融着堰部７ｂ及び第４融着堰部７ｂがそれぞれ形成されている長尺セル（３ａ〜３ｄ）が当該背もたれ部１ａに対応して、左右方向（水平方向）と平行になるように並べて配設されたものが好ましい。【００２６】
本願の第１の発明では、前記の図２に記載された液体内蔵型クッションに限定されるものではなく、液体が充満されている長尺セル１個であるか、或いは、好ましくは長尺セル２〜１０個、特に好ましくは３〜６個が上下に平行に並べて形成されている液体内蔵型クッションであってもよい。本発明の液体内蔵型クッションが有している周縁融着部で液体を内蔵している長尺セルは、図２に示されているように、前記の周縁融着部における上部周縁融着部と下部周縁封着部とが平行な直線で形成されていれば十分であるが、必要であれば、例えばその上部周縁融着部と下部周縁融着部とが下方に突出している弧状となっているものであっても、液体が上方向に流動し易くなるので、好ましいこともある。尚、図１中の符号１ｂは、椅子１の脚部１ｂを示しているとともに、符号２、４、５、６は、それぞれ椅子１の背もたれ部１aに配設されている下部弾性材料（成形ウレタンなど）２、上部弾性材料（上部ウレタンなど）４、被覆材料（被覆織布、皮革など）５を示し、更に、符号６は、椅子１の座面６を示している。【００２７】
本願の第１の発明の液体内蔵型クッションは、図２に示すように、例えば、椅子の背もたれ部１ａの幅方向（水平方向）に延設されうるものであり、且つ、長尺セルの略中央の上下方向に第２融着堰部７ａ、長尺セルの下部に第１融着堰部７ｃ、長尺セルの上部に対の第３融着堰部７ｂ及び第４融着堰部７ｂが設けられている長尺セル３ａ〜３ｄが当該背もたれ部に対応して上下方向に複数並べて配設されたものであるので、人が椅子に着座して背もたれ部に寄りかかって人が左右方向に姿勢変化しても滑らか且つ確実に追従するように、隣接する領域間（液体収納小部屋間）で液体を流入又は流出させて、その液体の流入又は流出による当該人の背圧の変化に追従して、より良好に体圧分散させることができる。【００２８】
本願の第１の発明の液体内蔵型クッションにおける長尺セルの多数の融着堰部により区分けされた領域である多数の液体収容小部屋は、図２に示すように、例えば、長尺セルの下部に位置する液体収容小部屋（Ｉ）及び（ＩＩ）の方が、上部に位置する液体収容小部屋（ＩＩＩ）及び（ＩＶ）よりも、液体収容小部屋の上下方向の寸法が小さく形成されているものが、充満している液体の重力によって自重で長尺セルにおける下部に液体が過度に溜まってしまうのを回避することができるので、適当である。【００２９】
本願の第１の発明の液体内蔵型クッションは、長尺セルの融着堰部が、各液体収容小部屋における液体の下部方向への流動を抑制するように、下方に突起している弧状の融着堰部を形成していることが、椅子に着座して背もたれ部に寄りかかる人の姿勢変化に追従して液体が流動する際、重力による影響を抑制して、上部方向への流動と下部方向への流動を略均衡させることができるので好ましい。【００３０】
参考例の液体内蔵型クッションは、図２７及び図２８に示されているように、背もたれ部１ａに対応して、環状に延びつつ液体を収容している環状長尺セル７ａ’、又は７ａ”を複数隣接させ渦巻き状に配設させたものからなり、各環状長尺セル７ａ’、又は７ａ”において、当該背もたれ部の下部に対応し位置する環状長尺セルの下部内径の方が上部に位置する環状長尺セルの下部内径より小さく形成されていることが、重力による液体の自重で液体内蔵型クッション３’又は３”における下部に液体が過剰に溜まってしまうのをそれぞれ回避することができるので、好ましい。
【００３１】
本願の第１の発明の液体内蔵型クッション３は、図２に具体的に示すように、例えば、液体を流動可能に封入し得る長尺の液体収容室（長尺セル）３ａ、３ｂ、３ｃ、３ｄと、該長尺セルを任意大きさの領域（液体収容小部屋）に区分けする融着堰部（７ａ〜７ｃ）と、椅子に着座して前記背もたれ部に寄りかかる人の姿勢変化に追従して、該堰部（７ａ〜７ｃ）で区分けされた領域間（液体収容小部屋間）において液体を流入又は流出させるとともに、人の姿勢変化に追従しつつ当該液体の流入又は流出を制御することにより当該人の背圧の変化を分散し得るオリフィス部（多数の融着堰部で区分けされた液体収容小部屋間を液体が流動することを制御するための部位）とが形成されている。【００３２】
液体内蔵型クッション３は、図２に示すように、例えば、上下２枚の柔軟な合成樹脂シートを熱的に融着して、内部に液体を収容した長尺の液体収容室を形成した『長尺セル３ａ〜３ｄ』を有するものである。尚、液体内蔵型クッション３の材質は、弾力に富み、且つ所定の耐久性及び可撓性を有していて、液体が実質的に短時間で透過せず、液体を所定期間封止することができる性能を有した合成樹脂シートであればよく、例えば、エチレン−酢酸ビニル共重合体（ＥＶＡ）、ポリエチレン、ポリ塩化ビニル等の熱可塑性樹脂シートを好適に用いることができる。【００３３】
しかして、液体内蔵型クッション３が有する各長尺セル３ａ〜３ｄには、各長尺セルの周縁部が融着された連続的な周縁融着部で密封されており、長尺の液体収容室（長尺セル）内で液体を流動可能に保持し、長期間封止され得るようになっていることが好ましい。
前記の長尺セルを構成する合成樹脂シートは、厚さが２００〜２０００μｍ、特に、４００〜１０００μｍであることが好ましく、また、特に、酢酸ビニル単位を２０〜８０％（さらに、３０〜６０％）を含有するエチレン−酢酸ビニル共重合体からなる、厚さ２００〜１５００μｍ（特に厚さ４００〜１０００μｍ）である合成樹脂製シートが好ましい。【００３４】
本発明における液体内蔵型クッション３の各長尺セル（３ａ〜３ｄ）の内部に収容される液体は、粘度が常温で１〜５０００センチポイズ（ｃｐ）、特に１０〜２０００ｃｐの流動性の液体であればよく、例えば、水、或いは、多価アルコールの水溶液（特に、水とプロピレングリコール類等とを混合して得られた混合液等）からなるものであればよい。【００３５】
本発明では、長尺セル内に充満する液体を水とすれば、より安価に背もたれ用クッションを製造することができるけれども、長尺セルに充填される液体を水と多価アルコールとの混合液とすれば、液体内蔵型クッション３の長尺セル内で液体が凍ってしまうことを回避することができ、また、長期間使用しても長尺セルを形成している合成樹脂シートを透過して外部へ発散してしまうのを抑制することができるので好適である。尚、本発明では、長尺セル内に収容される液体を水のみ（微量の添加物を含有するもの含む）或いは多価アルコールのみとしてもよい。【００３６】
長尺セルにおける融着堰部（７ａ〜７ｃ）は、液体内蔵型クッション３の長尺セルを任意大きさの領域（液体収容小部屋）に区分けするものであり、本実施形態においては液体内蔵型クッション３を構成する２枚の合成樹脂シートを任意の位置で熱的に融着することにより形成されている。【００３７】
前記の融着堰部の内、長尺セルの中央部の第２融着堰部７ａは、液体内蔵型クッション３における各長尺セル（３ａ〜３ｄ）の略中央部で上下方向に延びたものであり、背もたれ部１ａに寄りかかった人の背骨（脊髄）に沿って延設されることとなる。而して、中央部の第２融着堰部７ａの端部は、液体内蔵型クッション３の長尺セルの周縁部や他の融着堰部から離間して形成されることにより、その離間部にて液体が流動し得るオリフィス部が構成されている。オリフィス部は、０．５〜２ｃｍ程度の狭さが好ましい。【００３８】
また、第３融着堰部及び第４融着堰部７ｂは、長尺セルにおいて液体の下部方向への流動を抑制し、上部への流動を促進するよう上方に突起している弧状に形成されたものであり、各長尺セル７ａ〜７ｄにおいて左右一対形成されていることが好ましい。而して、それらの融着堰部７ｂの端部が液体内蔵型クッション３の長尺セルの周縁融着部や他の堰部から離間して形成されることにより、その離間部にて液体が流動し得るオリフィス部が構成される。【００３９】
更に、第１融着堰部７ｃは、長尺セルを上下に区分けするもので、かかる第１融着堰部７ｃにより区分けされた領域である液体収容小部屋は、背もたれ部１ａの下部に位置する下部の液体収容小部屋（Ｉ）又は（ＩＩ）の方が上部に位置する上部の液体収容小部屋（ＩＩＩ）又は（ＩＶ）より上下方向の間隔が小さく形成されている。而して、第１融着堰部７ｃの端部が液体内蔵型クッション３の長尺セルの周縁融着部や他の融着堰部から離間して形成されることにより、その離間部にて液体が流動し得るオリフィス部が構成されている。【００４０】
オリフィス部は、上述したように、椅子１に着座して背もたれ部１ａに寄りかかる人の姿勢変化に追従して、該融着堰部７ａ〜７ｃで区分けされた液体収容小部屋間において液体を流入又は流出させると共に、当該液体の流入又は流出により当該人の背圧の変化に追従して体圧分散し得るものである。即ち、椅子１に着座して背もたれ部１ａに寄りかかる人の姿勢が変化すると、それに応じて生じる人の背圧の変化に従って体圧分散すべく、液体がオリフィス部を流動（流入又は流出）するのである。【００４１】
上記の実施形態によれば、椅子１に着座して背もたれ部１ａに寄りかかる人の姿勢変化に追従して、隣接する液体収容小部屋間で液体を流入又は流出させると共に、その液体の流入又は流出により当該人の背圧の変化を良好に分散させることができる。また、液体内蔵型クッション３は、背もたれ部１ａの水平方向に延設され、且つ、略中央部の上下方向に融着堰部（中央部の融着堰部７ａ）が延設されてなる長尺セル３ａ〜３ｄが当該背もたれ部１ａの上下方向に複数並べて配設されたものであるので、椅子１に着座して背もたれ部１ａに寄りかかる人の左右方向の姿勢変化に確実に追従して隣接する液体収容小部屋間で液体を流入又は流出させ、その液体の流入又は流出による当該人の背圧の変化をより良好に分散させることができる。【００４２】
更に、第１融着堰部（具体的には第１融着堰部７ｃ）により区分けされた液体収納小部屋は、背もたれ部１ａの下部に位置する方が上部に位置する液体収納小部屋よりも上下方向の寸法が小さく形成されているので、液体の重力によって自重で液体内蔵型クッション３の各長尺セル３ａ〜３ｄにおいて下部に液体が過度に溜まってしまうのを回避することができる。また、融着堰部（具体的には融着堰部７ｂ）は、長尺セルにおいて液体の下部方向への流動を抑制し、上部方向への流動を促進するように下方向に突出して弧状に形成されているので、椅子１に着座して背もたれ部１ａに寄りかかる人の姿勢変化に追従して液体が流動する際、重力による影響を抑制して、上部方向への流動と下部方向への流動を略均衡させることができる。【００４３】
更に、本実施形態によれば、背もたれ部１ａに寄りかかった人が左右に揺すったり捩ったりして人の姿勢が変化した場合、背中における片側の圧力が高まり液体が反対側に移動し、その反対側の方や背中、腰などを押圧することとなる。しかして、背もたれ部に寄りかかる際の安定感を増大させることができると共に、従来のウォータマット等では得られない感覚を使用者に与えることができる。【００４４】
次に、本発明の技術的優位性を立証すべく、実施例の実験結果について説明する。
（実験１）
椅子の背もたれ部に背圧を測定し得る圧力センサを配置すると共に、被験者１、２のそれぞれが頭部まで支えがある背もたれ部を有する椅子に着座して背もたれ部に寄りかかる際の背圧の分布及び背圧の変化を測定した。
背圧測定時の条件として、背もたれ部に図２に示すような背もたれ用の液体内蔵型クッション３を配設したもの（実施例１）、背もたれ部に当該背もたれ用の液体内蔵型クッションとウレタンとを併設したもの（実施例２）、及び、背もたれ部に背もたれ用の液体内蔵型クッション及びウレタンの何れも配設していない状態のもの（比較例）とした。そして、椅子の背もたれ部の角度を１００°、１１０°、１３０°と変化させて各背圧の最大値を比較すべく、実験結果を図３、４、５に示す。尚、図４、５中、減少率は、以下の計算式にて算出した。【００４５】
減少率＝｛（背もたれ用の液体内蔵型クッション及びウレタンの何れも配設していない場合の背圧最大値）−（背もたれ用の液体内蔵クッションのみ或いは背もたれ用の液体内蔵型クッションの上にウレタンの場合の背圧最大値）｝／（背もたれ用の液体内蔵型クッション及びウレタンの何れも配設していない場合の背圧最大値）【００４６】
尚、被験者１は、男性２４歳、身長１８０（ｃｍ）、体重５８．５（ｋｇ）、ＢＭＩ指数１８．０、被験者２は、男性６５歳、身長１６６（ｃｍ）、体重７２．０（ｋｇ）、ＢＭＩ指数２６．１である。
この実験１において使用された液体内蔵型クッションは、長尺セル内に充満されている液体がプロピレングリコールを４０容量％含有している水−プロピレングリコールとの混合液（不凍液）であり、その液体の含有量が合計６００ｃｃあって、更に、合成樹脂シートが、それぞれ厚さ５００μｍであり、ポリエチレンとエチレン−酢酸ビニル共重合体とポリエチレンとの三層積層体である。
また、液体内蔵型クッションは、図２に示すように、各長尺セルの上下間隔がいずれも１０ｃｍであり、また、それらの各長尺セルの左右間隔が、上の長尺セルから下方へ向かって順に、４４ｃｍ、４１ｃｍ、３７ｃｍ、３４ｃｍである長尺セル４個が平行に並んでいるものである。前記の長尺セルと共に使用されたウレタンは、厚さが１０（ｍｍ）のものであった。【００４７】
図３、４、５の実験結果からも明らかなように、背圧の最大値は、比較例に比べて実施例１、２の方が全体的に低いことが明らかであり、椅子に着座して背もたれ部に寄りかかる人の姿勢変化に追従して、隣接する領域間（液体収容小部屋間）で液体を流入又は流出させると共に、その液体の流入又は流出により当該人の背圧の変化に従って良好に分散させることができることが立証されている。【００４８】
又、背もたれ部に付与される背圧の分布について図６〜図２３に示す。
具体的には、図６〜８は、背もたれ部の角度が１００°で被験者１が当該背もたれ部に寄りかかった場合（背もたれ用の液体内蔵型クッション及びウレタンの何れも配設していない場合が図６、背もたれ用の液体内蔵型クッションのみの場合が図７、背もたれ用の液体内蔵型クッション上にウレタンをのせた場合が図８）の背圧の分布を示している。【００４９】
図９〜１１は、背もたれ部の角度が１１０°で被験者１が当該背もたれ部に寄りかかった場合（背もたれ用の液体内蔵型クッション及びウレタンの何れも配設していない場合が図９、背もたれ用の液体内蔵型クッションのみの場合が図１０、背もたれ用の液体内蔵型クッション上にウレタンをのせた場合が図１１）の背圧の分布を示している。【００５０】
図１２〜１４は、背もたれ部の角度が１３０°で被験者１が当該背もたれ部に寄りかかった場合（背もたれ用の液体内蔵型クッション及びウレタンの何れも配設していない場合が図１２、背もたれ用の液体内蔵型クッションのみの場合が図１３、背もたれ用の液体内蔵型クッション上にウレタンをのせた場合が図１４）のは背圧の分布を示している。【００５１】
同様に、図１５〜１７は、背もたれ部の角度が１００°で被験者２が当該背もたれ部に寄りかかった場合（背もたれ用の液体内蔵型クッション及びウレタンの何れも配設していない場合が図１５、背もたれ用の液体内蔵型クッションのみの場合が図１６、背もたれ用の液体内蔵型クッション上にウレタンをのせた場合が図１７）の背圧の分布を示している。【００５２】
図１８〜２０は、背もたれ部の角度が１１０°で被験者２が当該背もたれ部に寄りかかった場合（背もたれ用の液体内蔵型クッション及びウレタンの何れも配設していない場合が図１８、背もたれ用の液体内蔵型クッションのみの場合が図１９、背もたれ用の液体内蔵型クッション上にウレタンをのせた場合が図２０）の背圧の分布を示している。【００５３】
図２１〜２３は、背もたれ部の角度が１３０°で被験者２が当該背もたれ部に寄りかかった場合（背もたれ用の液体内蔵型クッション及びウレタンの何れも配設していない場合が図２１、背もたれ用の液体内蔵型クッションのみの場合が図２２、背もたれ用の液体内蔵型クッション上にウレタンをのせた場合が図２３）の背圧の分布を示している。【００５４】
（実験２）
図２４で示すように、長尺セルの中央部の融着堰部Ａａが液体内蔵型クッションにおける略中央の上下に大きく形成された背もたれ用の液体内蔵型クッションＡ（実施例）と、当該中央部の融着堰部Ｂａが比較的小さく形成された背もたれ用の液体内蔵型クッションＢ（実施例）とを用意した。
そして、融着堰部Ａａ、Ｂａを有する長尺セルが形成されている液体内蔵型クッションをそれぞれ挟んだ片側に繰り返し圧縮力を加えると共に、そのときの反対側の圧力の変化を測定した。
尚、背もたれ用の液体内蔵型クッションＢにおける液体移動に関する固有の周波数は、実験条件にもよるが、２〜３Ｈｚであることが確かめられていることから、付与する圧縮力の繰り返し周波数を２Ｈｚとした。【００５５】
図２５、図２６の実験結果から明らかなように、背もたれ用の液体内蔵型クッションＢでは、繰り返し圧縮力の周波数に対して敏感に反応していることが分かる。それに対し、実施例としての背もたれ用の液体内蔵型クッションＡでは、圧力変動が小さいことが分かる。即ち、背圧の変化に敏感に反応した場合、背中の安定性が低下すると共に、液体の微動は人にとって感覚的によくない傾向があると考えられる。一方、背圧の変化が小さければ、液体の振動は小さいのですぐに減衰し、本発明において背もたれ用の液体内蔵型クッションは常に背中を包むと共に、安定性もよくなるものと考えられる。【００５６】
参考例として、例えば図２７に示すように、背もたれ部１ａに対応して、環状に延びつつ液体を収容している環状セル（３’ａ〜３’ｃ）を渦巻き上に複数隣接させたものから成り、各環状セル（３’ａ〜３’ｃ）における当該背もたれ部１ａの下部に位置する部分の方が上部に位置する部分よりも内径が小さく形成された液体内蔵型クッション３’を具備したものとしてもよい。
【００５７】
かかる液体内蔵型クッション３’の環状セル（３’ａ〜３’ｃ）の中心部には他の形状のセル３’ｄが配設されており、これらの環状セル（３’ａ〜３’ｃ）及び中心部のセル３’ｄにはそれぞれ独立して液体が封入されている。また、各環状セル（３’ａ〜３’ｄ）には、先の実施形態と同様、中央部の上下方向に延設された中央部の融着堰部７ａ’、液体の下部方向への流動を抑制するよう下方に突出して弧状に形成された融着堰部７ｂ’が形成されている。【００５８】
このような背もたれ用の液体内蔵型クッションによれば、液体内蔵型クッション３’は、背もたれ部１ａに対応して環状に延びつつ液体を収容した環状セル（３’ａ〜３’ｃ）を渦巻き状に複数隣接させたものからなり、各環状セル（３’ａ〜３’ｃ）における当該背もたれ部１ａの下部に位置する部分の方が上部に位置する部分より内径が小さく形成されたので、液体の重力による自重で液体内蔵型クッション本体３’の環状セルにおける下部に液体が過度に溜まってしまうのを回避することができる。【００５９】
また更に、他の参考例として、例えば図２８に示すように、背もたれ部１ａに対応して環状に延びつつ液体を収容した環状セル（３”ａ〜３”ｃ）を渦巻き状に複数隣接させたものからなり、各環状セル（３”ａ〜３”ｃ）における当該背もたれ部１ａの下部に位置する部分の方が上部に位置する部分より内径が小さく形成された液体内蔵型クッション３”を具備したものとしてもよい。
【００６０】
かかる液体内蔵型クッション３”の環状セル（３”ａ〜３”ｃ）の中心部には別の形体のセル３”ｄが配設されており、これら環状のセル（３”ａ〜３”ｃ）及び中心部のセル３”ｄにはそれぞれ独立して液体が封入されている。また、各環状セル（３”ａ〜３”ｄ）には、先の実施形態と同様、中央部の上下方向に延設された中央部の融着堰部７ａ”が、液体の下部方向への流動を抑制するよう下方に突出した弧状に形成された融着堰部７ｂ”が形成されている。【００６１】
このような背もたれ用の液体内蔵型クッションによれば、液体内蔵型クッション３”は、背もたれ部１ａに対応して環状に延びつつ液体を収容した環状セル（３”ａ〜３”ｃ）を渦巻き状に複数隣接させたものからなり、各環状セル（３”ａ〜３”ｃ）における当該背もたれ部１ａの下部に位置する部分の方が上部に位置する部分より内径が小さく形成されたので、液体の重力による自重で液体内蔵型クッション３”の環状セルにおける下部に液体が過度に溜まってしまうのを回避することができる。
【産業上の利用可能性】
【００６２】
重ね合わされた一対の合成樹脂シートが融着されて形成された周縁融着部で囲まれ密閉された液体収容室を１つ以上有し、前記液体収容室は、その周縁融着部内の領域に前記合成樹脂シートの融着で形成された複数の融着堰部と液体流路が狭くなっている多数のオリフィス部とにより形成された液体収容小部屋を複数有し、傾斜面又は垂直面に配設されて用いられるものとされ、液体収容室内の各液体収容小部屋は、液体がそれぞれ充満していて連通しており、液体が液体収容室の液体収容小部屋の各オリフィス部を経由して流出又は流入する際に、液体の流入又は流出が制御されると共に、前記の液体収容室内の液体が主として水平方向に容易に流動し、液体が上下方向に配置された各液体収容小部屋の間で制御されて流動し移動できるよう構成され、且つ、液体収容室を形成している周縁融着部の領域内には下部の第１融着堰部、中央部の第２融着堰部、上部左右に対で形成されている上部の第３融着堰部及び上部の第４融着堰部からなる融着堰部が多数設けられていて、オリフィス部を４〜２０箇所に有していると共に、液体が充満している液体収容小部屋が４〜１０箇所形成されていて、液体収容室内の液体が主として水平方向に容易に流動しうると共に、上下に配置された液体収容小部屋間でも液体が流動し移動しうる背もたれ用等の液体内蔵型クッションであれば、外観形状が異なるもの或いは他の機能が付加されたものにも適用することができる。
【図面の簡単な説明】
【００６３】
【図１】本発明の実施形態に係る背もたれ用の液体内蔵型クッションが適用された椅子を示す断面模式図
【図２】背もたれ用の液体内蔵型クッションを示す全体模式図
【図３】背もたれ用の液体内蔵型クッションの技術的優位性を示す実験結果（背圧の最大値）のグラフ
【図４】背もたれ用の液体内蔵型クッションの技術的優位性を示す実験結果（背圧の最大値）の表（被験者１）
【図５】背もたれ用の液体内蔵型クッションの技術的優位性を示す実験結果（背圧の最大値）の表（被験者２）
【図６】背もたれ部を１００°とした場合、液体内蔵型クッション及びウレタンを配設していない背もたれ部に被験者１が寄り掛かった際の背圧分布
【図７】背もたれ部を１００°とした場合、液体内蔵型クッションのみを配設した背もたれ部に被験者１が寄りかかった際の背圧分布
【図８】背もたれ部を１００°とした場合、液体内蔵型クッション上にウレタンをのせた背もたれ部に被験者１が寄りかかった際の背圧分布
【図９】背もたれ部を１１０°とした場合、液体内蔵型クッション及びウレタンを配設していない背もたれ部に被験者１が寄り掛かった際の背圧分布
【図１０】背もたれ部を１１０°とした場合、液体内蔵型クッションのみの背もたれ部に被験者１が寄りかかった際の背圧分布
【図１１】背もたれ部を１１０°とした場合、液体内蔵型クッション上にウレタンをのせた背もたれ部に被験者１が寄り掛かった際の背圧分布
【図１２】背もたれ部を１３０°とした場合、液体内蔵型クッション及びウレタンを配設していない背もたれ部に被験者１が寄りかかった際の背圧分布
【図１３】背もたれ部を１３０°とした場合、液体内蔵型クッションのみが配設された背もたれ部に被験者１が寄りかかった際の背圧分布
【図１４】背もたれ部を１３０°とした場合、液体内蔵型クッション上にウレタンをのせた背もたれ部に被験者１が寄りかかった際の背圧分布
【図１５】背もたれ部を１００°とした場合、液体内蔵型クッション及びウレタンを配設していない背もたれ部に被験者２が寄りかかった際の背圧分布
【図１６】背もたれ部を１００°とした場合、液体内蔵型クッションのみが配設された背もたれ部に被験者２が寄りかかった際の背圧分布
【図１７】背もたれ部を１００°とした場合、液体収容型クッション上にウレタンをのせた背もたれ部に被験者２が寄りかかった際の背圧分布
【図１８】背もたれ部を１１０°とした場合、液体内蔵型クッション及びウレタンを配設していない背もたれ部に被験者２が寄りかかった際の背圧分布
【図１９】背もたれ部を１１０°とした場合、液体内蔵型クッションのみが配設された背もたれ部に被験者２が寄りかかった際の背圧分布
【図２０】背もたれ部を１１０°とした場合、液体内蔵型クッション上にウレタンをのせた背もたれ部に被験者２が寄りかかった際の背圧分布
【図２１】背もたれ部を１３０°とした場合、液体内蔵型クッション及びウレタンを配設していない背もたれ部に被験者２が寄りかかった際の背圧分布
【図２２】背もたれ部を１３０°とした場合、液体内蔵型クッションのみの背もたれ部に被験者２が寄りかかった際の背圧分布
【図２３】背もたれ部を１３０°とした場合、背もたれ用クッション上にウレタンをのせた背もたれ部に被験者２が寄りかかった際の背圧分布
【図２４】背もたれ用クッションの技術的優位性を示す実験で適用される（ａ）実施例（ｂ）他の実施例の全体模式図
【図２５】実施例における圧力変化を示すグラフ
【図２６】他の実施例における圧力変化を示すグラフ
【図２７】参考例に係る液体内蔵型クッションを示す全体模式図
【図２８】他の参考例に係る液体内蔵型クッションを示す全体模式図
【符号の説明】
【００６４】
１    椅子
１ａ  背もたれ部
２    下部ウレタン（成型ウレタン）
３、３’、３”  液体内蔵型クッション
３ａ〜３ｄ  長尺セル
３’ａ〜３’ｄ、３”ａ〜３”ｄ  環状セル
４    上部ウレタン
５    被覆材料
６    座面
７ａ、７ａ’、７ａ”  中央部の第２融着堰部
７ｂ、７ｂ’、７ｂ”  左右上部の第３融着堰部
７ｃ  下部の第１融着堰部
（Ｉ）、（ＩＩ）      下部の液体収容小部屋
（ＩＩＩ）、（ＩＶ）  上部の液体収容小部屋
【図１】
0005465533.tif 000002
【図２】
0005465533.tif 000003
【図３】
0005465533.tif 000004
【図４】
0005465533.tif 000005
【図５】
0005465533.tif 000006
【図６】
0005465533.tif 000007
【図７】
0005465533.tif 000008
【図８】
0005465533.tif 000009
【図９】
0005465533.tif 000010
【図１０】
0005465533.tif 000011
【図１１】
0005465533.tif 000012
【図１２】
0005465533.tif 000013
【図１３】
0005465533.tif 000014
【図１４】
0005465533.tif 000015
【図１５】
0005465533.tif 000016
【図１６】
0005465533.tif 000017
【図１７】
0005465533.tif 000018
【図１８】
0005465533.tif 000019
【図１９】
0005465533.tif 000020
【図２０】
0005465533.tif 000021
【図２１】
0005465533.tif 000022
【図２２】
0005465533.tif 000023
【図２３】
0005465533.tif 000024
【図２４】
0005465533.tif 000025
【図２５】
0005465533.tif 000026
【図２６】
0005465533.tif 000027
【図２７】
0005465533.tif 000028
【図２８】
0005465533.tif 000029